(57)【要約】【課題】可撓管内に排水が溜まるのを防止し、かつ、鞘管内に可撓管を挿着するときの作業性を向上させる。【解決手段】建物の基礎２内には屈曲鞘管３Ａを貫通して埋設し、該屈曲鞘管３Ａ内には可撓管４を挿着して、該可撓管４の上流側には屋内排水設備に連絡する屋内排水管７を接続し、該可撓管４の下流側には屋外排水設備に連絡する屋外排水管９を接続する。そして、該屈曲鞘管３Ａは上流側から下流側にかけて低くなるように全体的に傾斜されており、また、該屈曲鞘管３Ａの下流端部は下流側が低くなるように傾斜されている排水管路構造１、排水管路の施工方法および排水管路セットを提供する。【選択図】    図１
2006214140.tif 000002
【特許請求の範囲】
【請求項１】
建物の基礎内には鞘管が貫通して埋設され、該鞘管内には可撓管が挿着されており、該可撓管の上流側には屋内排水設備に連絡する屋内排水管が接続され、該可撓管の下流側には屋外排水設備に連絡する屋外排水管が接続される排水管路構造において、
該鞘管は上流側から下流側にかけて低くなるように全体的に傾斜されており、また、該鞘管の下流端部は下流側が低くなるように傾斜されていることを特徴とする排水管路構造。
【請求項２】
該鞘管の下流端部は、該鞘管に挿着した該可撓管に弛みが生じた場合でも該可撓管の下流端部で逆勾配が生じることのないように、下流側が低くなるように傾斜されている請求項１に記載の排水配管構造。
【請求項３】
該可撓管の下流側には角度調節継手が接続されており、該可撓管の下流側には該角度調節継手を介して該屋外排水管が水平に接続されている請求項１または請求項２に記載の排水管路構造。
【請求項４】
該基礎の外壁面と該角度調節継手との間にはシール部材が介在されている請求項１〜請求項３に記載の排水管路構造。
【請求項５】
該鞘管の内周面の所定箇所には係止凸部が設けられており、該角度調節継手または該可撓管の外周面の所定箇所には係止部が設けられており、また、該角度調節継手は、上流側に該可撓管が接続され下流側に該屋外排水管が接続される継手部材と、該シール部材が取り付けられるフランジ部材とを有しており、
該フランジ部材を該継手部材に螺着することによって、該基礎の外壁面と該角度調節継手のフランジ部材との間に該シール部材を介在させる請求項４に記載の排水管路構造。
【請求項６】
建物の基礎内に鞘管を貫通して埋設し、可撓管の下流側に角度調節継手を接続して、該可撓管を該鞘管内に挿着し、該基礎の外壁面と該角度調節継手との間にシール部材を介在させて、該可撓管の上流側に屋内排水設備に連絡する屋内排水管を接続する一方、該可撓管の下流側に該角度調節継手を介して屋外排水設備に連絡する屋外排水管を接続することを特徴とする排水管路の施工方法。
【請求項７】
該可撓管を該鞘管内に挿着して可撓管の係止部を鞘管の係止凸部に係止させ、角度調節継手のフランジ部材を角度調節部材の継手部材に螺着して該基礎の外壁面と該角度調節継手との間にシール部材を介在させる請求項６に記載の排水管路の施工方法。
【請求項８】
建物の基礎内に貫通して埋設される鞘管と、該鞘管内に挿着され、上流側には屋内排水設備に連絡する屋内排水管が接続され、下流側には屋外排水設備に連絡する屋外排水管が接続される可撓管とを有する排水管路セットにおいて、
該鞘管は上流側から下流側にかけて低くなるように全体的に傾斜されており、また、該鞘管の下流端部は下流側が低くなるように傾斜されていることを特徴とする排水管路施工セット。
【請求項９】
該鞘管の下流端部は、該鞘管に挿着した該可撓管に弛みが生じた場合でも該可撓管の下流端部で逆勾配が生じることのないように、下流側が低くなるように傾斜されている請求項８に記載の排水管路施工セット。
【請求項１０】
該可撓管の下流側に接続される角度調節継手を有しており、
該可撓管の下流側は該角度調節継手を介して該屋外排水管に水平に接続される請求項８または請求項９に記載の排水管路施工セット。
【請求項１１】
該基礎の外壁面と該角度調節継手との間に介在されるシール部材を有する請求項８〜請求項１０に記載の排水管路施工セット。
【請求項１２】
該鞘管の内周面の所定箇所には係止凸部が設けられており、該角度調節継手または該可撓管の外周面の所定箇所には係止部が設けられており、また、該角度調節継手は、上流側に該可撓管が接続され下流側に該屋外排水管が接続される継手部材と、該シール部材が取り付けられるフランジ部材とを有しており、
該フランジ部材を該継手部材に螺着することによって、該基礎の外壁面と該角度調節継手のフランジ部材との間に該シール部材を介在させる請求項１１に記載の排水管路施工セット。
【発明の詳細な説明】
【技術分野】
【０００１】
本発明は、建物の排水管路構造、排水管路の施工方法および排水管路施工セットに関する。
【背景技術】
【０００２】
従来、建物の排水管路構造として、建物の床下に形成された建物の基礎部を構成するコンクリート層を貫通して建物の内外で開口するようにさや管が埋設され、建物内の排水を建物外の排水経路に排水する排水管が前記さや管に挿通されており、前記さや管が、水平部と、この水平部から斜めに立ち上がる立ち上がり部とを備え、前期排水管のさや管に挿通される部分がフレキシブル管で形成されているとともに、さや管とフレキシブル管との隙間がさや管の建物外側の端部で、シール剤によって防水状態にされている建物の排水管配管構造が一般に提供されている（特許文献１参照）。
また、従来の建物の排水管路構造として、建物の外部位置で地表面下へと水平に下流端が貫通し、かつ、この下流端に対して傾斜して建物内の地表面より上方へ上流端が貫通した状態で建物のべた基礎に埋設されたベンド管と、このベンド管に挿脱可能に挿通され、このベンド管より径小なフレキシブル管とを具備している排水路装置であって、ベンド管の下流端とフレキシブル管の下流端との間がパッキンによって閉塞されている排水路装置が一般に提供されている（特許文献２参照）。
【０００３】
【特許文献１】特開２００２−５４２０３号公報（第２−３頁、第１図）
【特許文献２】特開２００２−１１６２９４号公報（第４−７頁、第３図）
【発明の開示】
【発明が解決しようとする課題】
【０００４】
上記従来の構成では、さや管またはベンド管の下流端部は水平とされているものの、該さや管内または該ベンド管内に挿通されたフレキシブル管が必ずしも水平となるわけではない。すなわち、上記従来の構成では、該さや管内または該ベンド管内に挿通するときの作業性を向上させるために、該フレキシブル管は十分な可撓性を有しており、更に、該さや管または該ベンド管とフレキシブル管との間には十分な隙間が設けられているため、特に該さや管または該ベンド管の水平な部分が長く設定されている場合には、該さや管内または該ベンド管内にフレキシブル管を挿通したときに該フレキシブル管の下流端部には弛みが生じる場合がある。ここで、該フレキシブル管の弛みの発生を防止するために、より可撓性の小さいフレキシブル管（より撓みが少ないフレキシブル管）を用いることも考えられるが、その場合には、該フレキシブル管をさや管またはベンド管に挿通する作業性が低下してしまう。
そして、フレキシブル管に弛みが生じた場合、上記従来の構成のようにさや管またはベンド管の下流端部が水平とされていると、その弛みによってフレキシブル管の下流端部で逆勾配が生じる場合があるという問題があり、その逆勾配となった部分で排水の流れが阻害され、その部分に排水が溜まることとなるという問題があった。
また、上記従来の構成では、さや管またはベンド管とフレキシブル管との隙間がシール剤またはパッキンによって閉塞されているので、排水路の点検・清掃・補修・交換の際に、該さや管または該ベンド管から該フレキシブル管を引き抜くことが困難であり、点検等の作業に手間や労力がかかるという問題があった。
【課題を解決するための手段】
【０００５】
本発明は上記従来の課題を解決するための手段として、建物の基礎２内には鞘管３（以下、３Ａ，３Ｂ，３Ｃ，３Ｄ，３Ｅ，３Ｆをまとめて３と云う。）が貫通して埋設され、該鞘管３内には可撓管４が挿着されており、該可撓管４の上流側には屋内排水設備に連絡する屋内排水管７が接続され、該可撓管４の下流側には屋外排水設備に連絡する屋外排水管９が接続される排水管路構造１において、該鞘管３は上流側から下流側にかけて低くなるように全体的に傾斜されており、また、該鞘管３の下流端部は下流側が低くなるように傾斜されている排水管路構造１を提供するものである。ここで、下流端部とは、下流端のみならず、下流端よりも少し上流側の部分をも含む部分をいう。
該鞘管３の下流端部は、該鞘管３に挿着した該可撓管４に弛みが生じた場合でも該可撓管４の下流端部で逆勾配が生じることのないように、下流側が低くなるように傾斜されていることが望ましい。
また、該可撓管４の下流側には角度調節継手８（以下、８Ａ，８Ｂをまとめて８と云う。）が接続されており、該可撓管４の下流側には該角度調節継手８を介して該屋外排水管９が水平に接続されていることが望ましい。
更に、該基礎２の外壁面と該角度調節継手８との間にはシール部材１３（以下、１３Ａ，１３Ｂをまとめて１３と云う。）が介在されていることが望ましい。
また更に、該鞘管３の内周面の所定箇所には係止凸部３７が設けられており、該角度調節継手８または該可撓管４の外周面の所定箇所には係止部３３が設けられており、また、該角度調節継手８は、上流側に該可撓管４が接続され下流側に該屋外排水管９が接続される継手部材２７と、該シール部材１３が取り付けられるフランジ部材２８とを有しており、該フランジ部材２８を該継手部材２７に螺着することによって、該基礎２の外壁面と該角度調節継手８のフランジ部材２８との間に該シール部材１３を介在させることが望ましい。
【０００６】
また本発明では、建物の基礎２内に鞘管３を貫通して埋設し、可撓管４の下流側に角度調節継手８を接続して、該可撓管４を該鞘管３内に挿着し、該基礎２の外壁面と該角度調節継手８との間にシール部材１３を介在させて、該可撓管４の上流側に屋内排水設備に連絡する屋内排水管７を接続する一方、該可撓管４の下流側に該角度調節継手８を介して屋外排水設備に連絡する屋外排水管９を接続する排水管路の施工方法が提供される。
該可撓管４を該鞘管３内に挿着して可撓管４の係止部３３を鞘管３の係止凸部３７に係止させ、角度調節継手８のフランジ部材２８を角度調節部材８の継手部材２７に螺着して該基礎２の外壁面と該角度調節継手８との間にシール部材１３を介在させることが望ましい。
【０００７】
更に本発明では、建物の基礎２内に貫通して埋設される鞘管３と、該鞘管３内に挿着され、上流側には屋内排水設備に連絡する屋内排水管７が接続され、下流側には屋外排水設備に連絡する屋外排水管９が接続される可撓管４とを有する排水管路施工セット１９において、該鞘管３は上流側から下流側にかけて低くなるように全体的に傾斜されており、また、該鞘管３の下流端部は下流側が低くなるように傾斜されている排水管路施工セット１９が提供される。
該鞘管３の下流端部は、該鞘管３に挿着した該可撓管４に弛みが生じた場合でも該可撓管４の下流端部で逆勾配が生じることのないように、下流側が低くなるように傾斜されていることが望ましい。
また、該可撓管４の下流側に接続される角度調節継手８を有しており、該可撓管４の下流側は該角度調節継手８を介して該屋外排水管９に水平に接続されることが望ましい。
更に、該基礎２の外壁面と該角度調節継手８との間に介在されるシール部材１３を有することが望ましい。
また更に、該鞘管３の内周面の所定箇所には係止凸部３７が設けられており、該角度調節継手８または該可撓管４の外周面の所定箇所には係止部３３が設けられており、また、該角度調節継手８は、上流側に該可撓管４が接続され下流側に該屋外排水管９が接続される継手部材２７と、該シール部材１３が取り付けられるフランジ部材２８とを有しており、該フランジ部材２８を該継手部材２７に螺着することによって、該基礎２の外壁面と該角度調節継手８のフランジ部材２８との間に該シール部材１３を介在させることが望ましい。
【発明の効果】
【０００８】
本発明では、鞘管３が上流側から下流側にかけて低くなるように全体的に傾斜しており、また、該鞘管３の下流端部が、下流側が低くなるように傾斜されているため、該鞘管３内に可撓管４を挿着したときに該可撓管４に弛みが生じた場合であっても、該可撓管４の下流端部に水平部分や逆勾配部分（下流側のほうが上流側よりも高くなる部分）ができることがない。そのため、可撓管４内の排水の円滑な流れを確保することができ、該可撓管４内に排水が溜まるのを防止することができる。したがって、本発明では、十分な可撓性を有する可撓管４を使用することができるとともに、該鞘管３と該可撓管４との間に十分な隙間を設けることができるため、鞘管３に可撓管４を挿着するときの作業性を向上させることができる。
また、本発明では、鞘管３が上流側から下流側にかけて低くなるように全体的に傾斜しているので、該鞘管３の上流側が建物の基礎２から外出する位置を、建物の基礎２の端部から近い位置に設定することができる。したがって、建物の屋内排水設備に連絡する屋内排水管７が建物の基礎２の端部から近い位置に設定されている場合、例えば水洗式トイレに連絡する屋内排水管７の場合であっても、屈曲させた複雑な排水経路を別途形成することなく、該鞘管３内に挿着した可撓管４に該屋内排水管７を接続することができる。また、建物の基礎２が深基礎２の場合、例えば傾斜地に建てられた建物の基礎２の場合であっても、該鞘管３の上流側が建物の基礎２から外出する位置を建物の基礎２の端部から近い位置に設定することができる。
更に、本発明では、該鞘管３の下流端部が、下流側が低くなるように傾斜されているため、該鞘管３の下流端部が水平とされている場合に比べて、該鞘管３の上流端部と下流端部との傾斜角度の差を減少させることができ、その上、鞘管３が上流側から下流側にかけて低くなるように全体的に傾斜しているので、該鞘管３の曲率を大きく設定することができる。したがって、より可撓性の小さい可撓管４（より撓みが少ない可撓管４）を使用した場合であっても、該鞘管３内に可撓管４を円滑に挿着することができ、該鞘管３内に可撓管４を挿着するときの作業性を向上させることができる。
【発明を実施するための最良の形態】
【０００９】
以下、本発明を実施例１〜実施例５により詳細に説明する。
【実施例１】
【００１０】
本発明を図１〜図７に示す一実施例によって説明する。
図１に示すように、本実施例の建物の排水管路構造１では、建物のべた基礎２には屈曲鞘管３Ａが貫通して埋設され、該屈曲鞘管３Ａ内には可撓管４が挿着されている。該可撓管４の上流側には接続継手５が接続されており、該接続継手５には４５°エルボ６を介して水平な屋内排水管７が接続され、該屋内排水管７は例えばキッチンやトイレ等の屋内排水設備（図示せず）に接続されている。一方、該可撓管４の下流側には角度調節継手８Ａが接続されており、該角度調節継手８Ａには水平な屋外排水管９が接続され、該屋外排水管９は例えば屋外排水ますや公共ます等の屋外排水設備（図示せず）に接続されている。
【００１１】
該屈曲鞘管３Ａの下流端部は下流側が低くなるように角度θだけ傾斜されている。そして、該屈曲鞘管３Ａは下流端部よりも上流側の部分（中央部よりも下流側の部分）において上流側が高くなるように角度αだけ屈曲されている。このように、屈曲鞘管３Ａの所定箇所を一箇所だけ屈曲させることによって、該屈曲鞘管３Ａは上流側から下流側にかけて低くなるように全体的に傾斜されている。
本実施例では、該屈曲鞘管３Ａの下流端部の中心線Ｘ１と水平線Ｈとの角度θは１０°に設定されており、該屈曲鞘管３Ａの下流端部の中心線Ｘ１と該屈曲鞘管３Ａの上流端部の中心線Ｘ２との角度αは３５°に設定されている（図１参照）。また、該屈曲鞘管３Ａの下流側の開口面は、該屈曲鞘管３Ａを配置した場合に該開口面が垂直面（鉛直面）となるように、中心線Ｘ１の垂直面に対して角度θだけ傾斜して設けられている（図４参照）。
【００１２】
該可撓管４としては、排水の円滑な流れを確保するために内周面が滑らかな独立波付け二重管が使用されており（図５参照）、また、該可撓管４の長さは、角度調節継手８Ａと接続継手５を取り付けた可撓管４を屈曲鞘管３Ａ内に下流側から挿着した場合に、接続継手５の上流端部と該屈曲鞘管３Ａの上流端部が同じ位置になるように、最適な長さに設定されている（図１参照）。
【００１３】
該角度調節継手８Ａは、上流側の傾斜受口１０と、下流側の水平受口１１とを有している。本実施例では、該傾斜受口１０は上流側が高くなるように角度θだけ傾斜して屈曲形成されており、一方、該水平受口１１は水平に形成されている。
また、該角度調節継手８Ａの中央部外周には、フランジ１２が側面視で垂直（鉛直）になるように一体的に設けられており、該べた基礎２の外壁面と該角度調節継手８Ａのフランジ１２の内面との間には、リング状のシール部材１３Ａが介在されている（図１参照）。なお、該シール部材１３Ａの材料としては、例えばブタジエンゴム等のように粘性を有するものが使用される。
更に、該角度調節継手８の傾斜受口１０の外周面には、袋ナット部材１４を螺着するためのねじ溝１５が設けられている（図４および図５参照）。
【００１４】
該接続継手５は、上流側の直管受口１６と、下流側の可撓管受口１７とを有している。
そして、該接続継手５の可撓管受口１７の外周面には、袋ナット部材１４を螺着するためのねじ溝１８が設けられている（図４参照）。
【００１５】
図４には、本実施例の排水管路施工セット１９が示される。
該排水管路施工セット１９は、建物のべた基礎２内に貫通して埋設される上記の屈曲鞘管３Ａと、該屈曲鞘管３Ａ内に挿着される上記の可撓管４と、該可撓管４の下流側に接続される上記の角度調節継手８Ａと、該べた基礎２の外壁面と該角度調節継手８Ａのフランジ１２との間に介在される上記のシール部材１３Ａと、該可撓管４の上流側に接続される上記の接続継手５とを有しており、更に、該角度調節継手８Ａおよび該接続継手５を該可撓管４に接続する際に使用するシール用のＯリング２０および固定用のＣリング２１および袋ナット部材１４を具備している。
【００１６】
上記の排水管路構造１を構築する場合には、まず、図２に示すように、屈曲鞘管３Ａの両側（上流側および下流側）の開口面を封止テープ（図示せず）で封止して、固定ホルダー（図示せず）を用いて該屈曲鞘管３Ａを建物の配筋２２の所定位置に取り付け固定する。このとき、該屈曲鞘管３Ａの下流側の開口面に垂直基準板２３を当接させて、該開口面を地面に対して垂直（鉛直）にして、該屈曲鞘管３Ａの下流端部を下流側が低くなるように角度θだけ傾斜させる。
このように屈曲鞘管３Ａを取り付け固定した後、コンクリートを打設して建物のべた基礎２内に屈曲鞘管３Ａを貫通して埋設する。
【００１７】
次に、屈曲鞘管３Ａの両側の開口面の封止テープを取り外した後、図３において破線で示すように、建物のべた基礎２の厚さに応じて、屈曲鞘管３Ａの上流部分であって該建物のべた基礎２から外出している部分をカッター等（図示せず）を用いて切断する。
そして、図４に示すように、切断した屈曲鞘管３Ａの長さＬと同じ長さの分だけ可撓管４を切断する。そうすると、切断後の可撓管４の長さも、角度調節継手８Ａと接続継手５を取り付けた該切断後の可撓管４を屈曲鞘管３Ａ内に下流側から挿着した場合に、接続継手５の上流端部と該切断後の屈曲鞘管３Ａの上流端部が同じ位置になるように、最適な長さに設定されることとなる。
【００１８】
その後、図５および図６に示すように、可撓管４の下流側に角度調節継手８Ａを接続するとともに、該可撓管４の上流側に接続継手５を接続する。
可撓管４の下流側に角度調節継手８Ａを接続する場合には、まず、可撓管４の下流側から袋ナット部材１４を摺動可能に外嵌しておき、次に、該可撓管４の下流端の外周面の谷部にＯリング２０を嵌着するとともに、該可撓管４の下流端部の所定箇所の外周面の谷部にＣリング２１を嵌着する。そして、該角度調節継手８Ａの傾斜受口１０に該可撓管４の下流端を挿入し、該袋ナット部材１４を該角度調節継手８Ａのねじ溝１５に螺着して、該Ｃリング２１に該袋ナット部材１４の係止端部２４を係止させる。この場合、角度調節継手８Ａのフランジ１２の内面にはシール部材１３Ａが予め接着されている。
可撓管４の上流側に接続継手５を接続する場合には、まず、可撓管４の上流側から袋ナット部材１４を摺動可能に外嵌しておき、次に、該可撓管４の上流端の外周面の谷部にＯリング２０を嵌着するとともに、該可撓管４の上流端部の所定箇所の外周面の谷部にＣリング２１を嵌着する。そして、該接続継手５の可撓管受口１７に該可撓管４の上流端を挿入し、該袋ナット部材１４を該接続継手５のねじ溝１８に螺着して、該Ｃリング２１に該袋ナット部材１４の係止端部２４を係止させる。
【００１９】
そして、図７に示すように、該屈曲鞘管３Ａの下流側から、上記のように角度調節継手８Ａや接続継手５を接続した可撓管４を該屈曲鞘管３Ａ内に挿着する。このとき、該角度調節継手８Ａのフランジ１２に取り付けられているシール部材１３Ａを建物のべた基礎２の外壁面に接着させて、該べた基礎２の外壁面と該角度調節継手８Ａのフランジ１２との間にシール部材１３Ａを介在させて封止する。
【００２０】
最後に、該可撓管４の上流側に接続された接続継手５の直管受口１６に４５°エルボ６の下流側挿口２５を接続し、該４５°エルボ６の上流側受口２６に屋内排水管７の下流側を接続して、該屋内排水管７の上流側を屋内排水設備の排水口（図示せず）に接続し、また、該可撓管４の下流側に接続された角度調節継手８Ａの水平受口１１に水平な屋外排水管９の上流側を接続して、該屋外排水管９の下流側を屋外排水設備の受口（図示せず）に接続する（図１参照）。
【００２１】
上記の排水管路構造１において排水管路の点検・清掃・補修・交換を行う場合には、まず、建物のべた基礎２の外壁面と角度調節継手８Ａのフランジ１２との間に介在されているシール部材１３Ａを削り取る。次に、可撓管４の下流側に角度調節継手８Ａを介して接続されている屋外排水管９の所定箇所を切断するとともに、可撓管４の上流側に接続継手５を介して接続されている４５°エルボ６の接続継手５側の端部を切断して、該可撓管４を該角度調節継手８Ａおよび該接続継手５とともに該屈曲鞘管３Ａの下流側から引き抜く。そして、該可撓管４の点検等が完了したら、上記のようにして再び排水管路構造１を構築する。
【００２２】
上記のように、本実施例では、屈曲鞘管３Ａが上流側から下流側にかけて低くなるように全体的に傾斜しており、また、該屈曲鞘管３Ａの下流端部が、下流側が低くなるように傾斜されているため、該屈曲鞘管３Ａ内に可撓管４を挿着したときに該可撓管４に弛みが生じた場合であっても、該可撓管４の下流端部に水平部分や逆勾配部分ができることがない。そのため、可撓管４内の排水の円滑な流れを確保することができ、該可撓管４内に排水が溜まるのを防止することができる。したがって、本実施例では、十分な可撓性を有する可撓管４を使用することができるとともに、該屈曲鞘管３Ａと該可撓管４との間に十分な隙間を設けることができるため、屈曲鞘管３Ａに可撓管４を挿着するときの作業性を向上させることができる。
【００２３】
また、本実施例では、屈曲鞘管３Ａが上流側から下流側にかけて低くなるように全体的に傾斜しているので、該屈曲鞘管３Ａの上流側が建物のべた基礎２から外出する位置を、建物のべた基礎２の端部から近い位置に設定することができる。したがって、建物の屋内排水設備に連絡する屋内排水管７が建物のべた基礎２の端部から近い位置に設定されている場合、例えば水洗式トイレに連絡する屋内排水管７の場合であっても、屈曲させた複雑な排水経路を別途形成することなく、該屈曲鞘管３Ａ内に挿着した可撓管４に４５°エルボ６を介して該屋内排水管７を接続することができる。また、建物のべた基礎２が深基礎の場合、例えば傾斜地に建てられた建物のべた基礎２の場合であっても、該屈曲鞘管３Ａの上流側が建物のべた基礎２から外出する位置を建物のべた基礎２の端部から近い位置に設定することができる。
【００２４】
更に、本実施例では、該屈曲鞘管３Ａの下流端部が、下流側が低くなるように角度θだけ傾斜されているため、該屈曲鞘管３Ａの下流端部が水平とされている場合（θ＝０°、α＝４５°）に比べて、該屈曲鞘管３Ａの上流端部と下流端部との傾斜角度の差αを減少させることができ（θ＝１０°、α＝３５°）、その上、屈曲鞘管３Ａが上流側から下流側にかけて低くなるように全体的に傾斜しているので、該屈曲鞘管３Ａの曲率を大きく設定することができる。したがって、より可撓性の小さい可撓管４（より撓みが少ない可撓管４）を使用した場合であっても、該屈曲鞘管３Ａ内に可撓管４を円滑に挿着することができ、該屈曲鞘管３Ａ内に可撓管４を挿着するときの作業性を向上させることができる。
【００２５】
その上、本実施例では、可撓管４の下流側に角度調節継手８Ａが接続されているので、可撓管４の下流端部が傾斜しておりかつ屋外排水管９が水平な場合であっても、該角度調節継手８Ａを介して該傾斜した可撓管４の下流側に該水平な屋外排水管９を簡単に接続することができ、施工の作業性を向上させることができる。
【００２６】
また、本実施例では、建物のべた基礎２の外壁面と該角度調節継手８Ａのフランジ１２との間にシール部材１３Ａが介在しているので、該シール部材１３Ａによって該屈曲鞘管３Ａ内に雨水や地下水等が侵入するのを確実に防止することができる。その上、排水管路の点検・清掃・補修・交換の際には、従来のようにさや管またはベンド管とフレキシブル管との隙間がシール剤またはパッキンによって閉塞されている場合に比べて、該建物のべた基礎２の外壁面と該角度調節継手８Ａのフランジ１２との間から該シール部材１３Ａを取り除くのが容易であり、更に、該シール部材１３Ａを取り除いてしまえば、該屈曲鞘管３Ａから該可撓管４を簡単に引き抜くことができ、点検等の作業に手間や労力を削減することができる。
【００２７】
更に、本実施例では、可撓管４の上流側に接続継手５が接続されているので、該接続継手５を介して該可撓管４の上流側に４５°エルボ６を介して該屋内排水管７を簡単に接続することができ、施工の作業性を向上させることができる。
【００２８】
また、従来の排水路の形成方法では、建物の基礎にベンド管を貫通し、該ベンド管の上流側からフレキシブル管を挿通して、一旦、該フレキシブル管を該ベンド管の下流端から外出させ、該外出させたフレキシブル管の下流端にパッキンを取り付けた後に、再びプラスチックハンマー等で該フレキシブル管を叩いて該ベンド管内に圧入する必要があり、施工作業の工程数が多いうえに、ベンド管の上流側と下流側の両方で施工作業を行わなければならず、施工作業に手間や労力を要したのに対して、本実施例では、建物のべた基礎２内に屈曲鞘管３Ａを貫通して埋設し、可撓管４の下流側に角度調節継手８Ａを接続し、該屈曲鞘管３Ａの下流側から該可撓管４を該屈曲鞘管３Ａ内に挿着するとともに、該建物のべた基礎２の外壁面と該角度調節継手８Ａのフランジ１２との間にシール部材１３Ａを介在させるので、上記従来の排水路の形成方法に比べて、施工作業の工程数が少なく、該屈曲鞘管３Ａの下流側からのみ施工作業を行えば済み、施工作業の手間や労力を削減することができる。
【００２９】
更に、本実施例では、建物のべた基礎２内に貫通して埋設される屈曲鞘管３Ａと、該屈曲鞘管３Ａ内に挿着される可撓管４と、該可撓管４の下流側に接続される角度調節継手８Ａと、該建物のべた基礎２の外壁面と該角度調節継手８Ａのフランジ１２との間に介在されるシール部材１３Ａと、該可撓管４の上流側に接続される接続継手５とを有する排水管路施工セット１９を使用することにより、上記のような排水管路構造１を簡単に構築することができる。
【実施例２】
【００３０】
図８には他の実施例が示される。
図１〜図７に示した実施例１では屈曲鞘管３Ａを使用していたのに対して、図８に示す本実施例では、建物のべた基礎２には大曲り鞘管３Ｂが貫通して埋設され、該大曲り鞘管３Ｂ内に可撓管４が挿着されている。該可撓管４の上流側には接続継手５が接続されており、該接続継手５には垂直な屋内排水管７が接続され、該屋内排水管７は例えばキッチンやトイレ等の屋内排水設備（図示せず）に接続されている。一方、該可撓管４の下流側には角度調節継手８Ａが接続されており、該角度調節継手８Ａには水平な屋外排水管９が接続され、該屋外排水管９は例えば屋外排水ますや公共ます等の屋外排水設備（図示せず）に接続されている。
【００３１】
図８に示すように、該大曲り鞘管３Ｂの下流端部は下流側が低くなるように角度θだけ傾斜されている。そして、該大曲り鞘管３Ｂは下流端部から上流端部にかけて全体的に大曲りとすることによって、該大曲り鞘管３Ｂは上流側から下流側にかけて低くなるように全体的に傾斜されている。
本実施例では、該大曲り鞘管３Ｂの下流端部の中心線Ｘ１と水平線Ｈとの角度θは１０°に設定されており、該大曲り鞘管３Ｂの下流端部の中心線Ｘ１と該大曲り鞘管３Ｂの上流端部の中心線Ｘ２との角度αは８０°に設定されている。また、該大曲り鞘管３Ｂの下流側の開口面は、該大曲り鞘管３Ｂを配置した場合に該開口面が垂直面（鉛直面）となるように、中心線Ｘ１の垂直面に対して角度θだけ傾斜して設けられている。
【００３２】
本実施例でも、実施例１と同様の作用効果を奏することができる。
その上、本実施例では、大曲り鞘管３Ｂを使用しているので、実施例１の場合に比べて、該大曲り鞘管３Ｂの上流側が建物のべた基礎２から外出する位置を、建物のべた基礎２の端部から近い位置に設定することができる。したがって、建物の屋内排水設備に連絡する屋内排水管７が建物のべた基礎２の端部から近い位置に設定されている場合、例えば水洗式トイレに連絡する屋内排水管７の場合であっても、屈曲させた複雑な排水経路を別途形成することなく、該大曲り鞘管３Ｂ内に挿着した可撓管４に該屋内排水管７を直接接続することができる。また、建物のべた基礎２が深基礎の場合、例えば傾斜地に建てられた建物のべた基礎２の場合であっても、該大曲り鞘管３Ｂの上流側が建物のべた基礎２から外出する位置を建物のべた基礎２の端部から近い位置に設定することができる。
【実施例３】
【００３３】
図９には更に他の実施例が示される。
図１〜図７に示した実施例１では一箇所で屈曲した屈曲鞘管３Ａを使用していたのに対して、図９に示す本実施例では、二箇所で屈曲する屈曲鞘管３Ｃが使用される。
【００３４】
図９に示すように、該屈曲鞘管３Ｃの下流端部は下流側が低くなるように傾斜されており、そして、該屈曲鞘管３Ｃは下流端部よりも上流側の部分（中央部よりも下流側の部分）において上流側が高くなるように角度α１だけ屈曲されており、更に、該屈曲鞘管３Ｃは上流端部よりも下流側の部分（中央部よりも上流側の部分）において上流側が高くなるように角度α２だけ屈曲されている。このように、屈曲鞘管３Ｃの所定箇所を二箇所屈曲させることによって、屈曲鞘管３Ｃは二段階で段階的に傾斜され、該屈曲鞘管３Ｃは上流側から下流側にかけて低くなるように全体的に傾斜されている。
本実施例では、該屈曲鞘管３Ｃの下流端部の中心線Ｘ１と水平線Ｈとの角度θは１０°に設定されている。該屈曲鞘管３Ｃの下流端部の中心線Ｘ１と該屈曲鞘管３Ｃの中央部の中心線Ｘ２との角度α１は１５°に設定され、該屈曲鞘管３Ｃの中央部の中心線Ｘ２と該屈曲鞘管３Ｃの上流端部の中心線Ｘ３との角度α２は２０°に設定されており、このようにして、該屈曲鞘管３Ｃの下流端部の中心線Ｘ１と該屈曲鞘管３Ｃの上流端部の中心線Ｘ３との角度α（＝α１＋α２）は３５°に設定されている。また、該屈曲鞘管３Ｃの下流側の開口面は、該屈曲鞘管３Ｃを配置した場合に該開口面が垂直面（鉛直面）となるように、中心線Ｘ１の垂直面に対して角度θだけ傾斜して設けられている。
【００３５】
本実施例でも、実施例１と同様の作用効果を奏することができる。
その上、本実施例では、屈曲鞘管３Ｃが上流側から下流側にかけて二段階で段階的に傾斜されているので、実施例１の場合に比べて、該屈曲鞘管３Ｃの屈曲部分の曲率を更に大きく設定することができる。したがって、実施例１の場合に比べて、より可撓性の小さい可撓管４（より撓みが少ない可撓管４）を使用した場合であっても、該屈曲鞘管３Ｃ内に可撓管４を更に円滑に挿着することができ、該屈曲鞘管３Ｃ内に可撓管４を挿着するときの作業性を更に向上させることができる。
【実施例４】
【００３６】
図１０には更に他の実施例が示される。
図１〜図７に示した実施例１では下流側の開口面が角度θだけ傾斜した屈曲鞘管３Ａを使用していたのに対して、図１０に示す本実施例では、両側（上流側および下流側）の開口面がそれぞれ角度θだけ傾斜している屈曲鞘管３Ｄが使用される。
【００３７】
該屈曲鞘管３Ｄの下流側の開口面は、図１０（ａ）に示すように該屈曲鞘管３Ｄの下流側が下流側となる向きに該屈曲鞘管３Ｄを配置した場合に該開口面が垂直面（鉛直面）となるように、中心線Ｘ１の垂直面に対して角度θだけ傾斜して設けられており、更に、該屈曲鞘管３Ｄの上流側の開口面は、図１０（ｂ）に示すように該屈曲鞘管３Ｄの上流側が下流側となる向きに該屈曲鞘管３Ｄを配置した場合に該開口面が垂直面（鉛直面）となるように、中心線Ｘ２の垂直面に対して角度θだけ傾斜して設けられている。
なお、実施例１と同様、該屈曲鞘管３Ｄの下流端部は下流側が低くなるように角度θだけ傾斜されており、そして、該屈曲鞘管３Ｄは下流端部よりも上流側の部分（中央部よりも下流側の部分）において上流側が高くなるように角度αだけ屈曲されている。このように、屈曲鞘管３Ｄの所定箇所を一箇所だけ屈曲させることによって、該屈曲鞘管３Ｄは上流側から下流側にかけて低くなるように全体的に傾斜されている。
そして、該屈曲鞘管３Ｄの下流端部の中心線Ｘ１と水平線Ｈとの角度θは１０°に設定されており、該屈曲鞘管３Ｄの下流端部の中心線Ｘ１と該屈曲鞘管３Ｄの上流端部の中心線Ｘ２との角度αは３５°に設定されている。
【００３８】
本実施例でも、実施例１と同様の作用効果を奏することができる。
その上、本実施例では、屈曲鞘管３Ｄの両側（上流側および下流側）の開口面がそれぞれ角度θだけ傾斜しているので、図１０（ａ）に示すように該屈曲鞘管３Ｄの下流側が下流側となる向きに該屈曲鞘管３Ｄを配置することができるとともに、図１０（ｂ）に示すように該屈曲鞘管３Ｄの上流側が下流側となる向きに該屈曲鞘管３Ｄを配置することができる。このとき、該屈曲鞘管３Ｄの屈曲位置は中央部よりも下流側にずれた位置に設定されているので、該屈曲鞘管３Ｄの下流側の直線部分の長さＬ１と上流側の直線部分の長さＬ２は異なることとなる（Ｌ１＜Ｌ２）。したがって、屈曲鞘管３Ｄの下流側または上流側のいずれを下流側に向けて配置するかを選択することによって、該屈曲鞘管３Ｄの上流側が建物のべた基礎２から外出する位置を調節することができる。
【実施例５】
【００３９】
図１１および図１２にはまた更に他の実施例が示される。
図１〜図７に示した実施例１では中央部外周にフランジ１２が一体的に設けられた角度調節継手８Ａを使用していたのに対して、図１１に示す本実施例では、上流側に可撓管４が接続され下流側に屋外排水管９が接続される継手部材２７と、シール部材１３Ｂが取り付けられるフランジ部材２８とを有する角度調節継手８Ｂが使用される。
【００４０】
該角度調節継手８Ｂの継手部材２７は、上流側の傾斜受口２９と、下流側の水平受口３０とを有しており、該傾斜受口２９は上流側が高くなるように角度θだけ傾斜して屈曲形成されており、該水平受口３０は水平に形成されている。
また、該角度調節継手８Ｂの継手部材２７の水平受口３０の外周面には、フランジ部材２８を螺着するためのねじ溝３１が設けられており、該角度調節継手８Ｂの継手部材２７の中央部外周面には、螺着したフランジ部材２８の内端が当接する当接リブ３２が設けられている。
更に、角度調節継手８Ｂの継手部材２７の傾斜受口２９の外周面の所定箇所（挿着された可撓管４の下流端に相当する位置）には係止部３３が凸設されており、また、角度調節継手８Ｂの継手部材２７の傾斜受口２９の中央部の外周面には、袋ナット部材１４を螺着するためのねじ溝３４が設けられている。
【００４１】
一方、角度調節継手８Ｂのフランジ部材２８の内周面外端の所定箇所には複数個の係止爪３５が設けられており、該シール部材１３Ｂの外周には係止フランジ３６が設けられている。そして、該角度調節継手８Ｂのシール部材１３Ｂの係止フランジ３６に該フランジ部材２８の係止爪３５を係止させることによって、該シール部材１３Ｂは該フランジ部材２８に係止保持されている。
該フランジ部材２８を該継手部材２７に螺着した状態では、角度調節継手８Ｂのフランジ部材２８は側面視で垂直（鉛直）になるようにされており、建物のべた基礎２の外壁面と該角度調節継手８Ｂのフランジ部材２８との間にシール部材１３Ｂが介在されるようにされている。なお、該シール部材１３Ｂの材料としては、実施例１と同様、例えばブタジエンゴム等のように粘性を有するものが使用される。
【００４２】
更に、本実施例では、図１１に示すように、屈曲鞘管３Ｅの内周面の所定箇所（上記角度調節継手８Ｂの継手部材２７の係止部３３に対応する位置）には、内周面全周にわたって係止凸部３７が設けられており（図１２参照）、角度調節継手８Ｂを取り付けた可撓管４を屈曲鞘管３Ｅの上流側から該屈曲鞘管３Ｅ内に挿着した状態で、該角度調節継手８Ｂの継手部材２７の係止部３３が該屈曲鞘管３Ｅの係止凸部３７に係止するようにされている。
なお、本実施例でも、実施例１と同様、該屈曲鞘管３Ｅの下流端部は下流側が低くなるように角度θだけ傾斜されている。そして、該屈曲鞘管３Ｅは下流端部よりも上流側の部分（中央部よりも下流側の部分）において上流側が高くなるように角度αだけ屈曲されている。このように、屈曲鞘管３Ｅの所定箇所を一箇所だけ屈曲させることによって、該屈曲鞘管３Ｅは上流側から下流側にかけて低くなるように全体的に傾斜されている。
また、実施例１と同様、該屈曲鞘管３Ｅの下流端部の中心線Ｘ１と水平線Ｈとの角度θは１０°に設定されており、該屈曲鞘管３Ｅの下流端部の中心線Ｘ１と該屈曲鞘管３Ｅの上流端部の中心線Ｘ２との角度αは３５°に設定されている。また、該屈曲鞘管３Ｅの下流側の開口面は、該屈曲鞘管３Ｅを配置した場合に該開口面が垂直面（鉛直面）となるように、中心線Ｘ１の垂直面に対して角度θだけ傾斜して設けられている。
【００４３】
上記の屈曲鞘管３Ｅと角度調節継手８Ｂを用いて排水管路構造１を構築する場合には、まず、実施例１と同様にして、建物のべた基礎２内に屈曲鞘管３Ｅを貫通して埋設して、該建物のべた基礎２の厚さに応じて屈曲鞘管３Ｅと可撓管４の長さを最適な長さに切りそろえる。
その後、実施例１と同様にして、可撓管４の下流側に角度調節継手８Ｂの継手部材２７を接続するとともに、該可撓管４の上流側に接続継手５を接続する。なお、可撓管４の下流側に角度調節継手８Ｂの継手部材２７を接続する場合には、まず、可撓管４の下流側から袋ナット部材１４を摺動可能に外嵌しておき、次に、該可撓管４の下流端の外周面の谷部にＯリング２０を嵌着するとともに、該可撓管４の下流端部の所定箇所の外周面の谷部にＣリング２１を嵌着する。そして、該角度調節継手８Ｂの継手部材２７の傾斜受口２９に該可撓管４の下流端を挿入し、該袋ナット部材１４を該角度調節継手８Ｂの継手部材２７のねじ溝３４に螺着して、該Ｃリング２１に該袋ナット部材１４の係止端部２４を係止させる。この場合、角度調節継手８Ｂのフランジ部材２８は、まだ継手部材２７に螺着されていない。
【００４４】
そして、図１１に示すように、屈曲鞘管３Ｅの上流側から、上記のように角度調節継手８Ｂの継手部材２７や接続継手５を接続した可撓管４を該屈曲鞘管３Ｅ内に挿着し、該角度調節継手８Ｂの継手部材２７の係止部３３を該屈曲鞘管３Ｅの係止凸部３７に係止させる。その後、下流側において、該角度調節継手８Ｂの継手部材２７のねじ溝３１にフランジ部材２８を螺着して、該フランジ部材２８の内端が継手部材２７の当接リブ３２に当接させるとともに、該角度調節継手８Ｂのフランジ部材２８を建物のべた基礎２の外壁面に密着させて封止する。
【００４５】
最後に、実施例１と同様にして、該可撓管４の上流側に接続された接続継手５に４５°エルボ６を介して屋内排水管７の下流側を接続して、該屋内排水管７の上流側を屋内排水設備の排水口（図示せず）に接続し、また、該可撓管４の下流側に接続された角度調節継手８Ｂの継手部材２７の水平受口３０に水平な屋外排水管９の上流側を接続して、該屋外排水管９の下流側を屋外排水設備の受口（図示せず）に接続する。
【００４６】
上記の排水管路構造１において排水管路の点検・清掃・補修・交換を行う場合には、まず、角度調節継手８Ｂの継手部材２７に螺着されているフランジ部材２８を緩めて取り外す。その後、実施例１と同様にして、可撓管４の下流側に角度調節継手８Ｂを介して接続されている屋外排水管９の所定箇所を切断するとともに、可撓管４の上流側に接続継手５を介して接続されている４５°エルボ６の接続継手５側の端部を切断して、該可撓管４を該角度調節継手８Ｂおよび該接続継手５とともに該屈曲鞘管３Ｅを引き抜く。そして、該可撓管４の点検等が完了したら、上記のようにして再び排水管路構造１を構築する。
【００４７】
本実施例でも、実施例１と同様の作用効果を奏することができる。
その上、本実施例では、該屈曲鞘管３Ｅの内周面の所定箇所に係止凸部３７が設けられており、該角度調節継手８Ｂの継手部材２７の外周面の所定箇所に係止部３３が設けられているので、該屈曲鞘管３Ｅの上流側から、角度調節継手８Ｂの継手部材２７を接続した可撓管４を該屈曲鞘管３Ｅ内に挿着したときに、該角度調節継手８Ｂの継手部材２７の係止部３３が該屈曲鞘管３Ｅの係止凸部３７に係止され、該角度調節継手８Ｂの継手部材２７の位置決めをすることができる。
また、このように該角度調節継手８Ｂの継手部材２７の係止部３３が該屈曲鞘管３Ｅの係止凸部３７に係止されているので、該フランジ部材２８を該継手部材２７に螺着したときに、該継手部材２７が下流側に移動することがなく、該フランジ部材２８を該継手部材２７に螺着することによって、該建物のべた基礎２の外壁面と該角度調節継手８Ｂのフランジ部材２８との間に該シール部材１３Ｂを介在させて簡単かつ確実に封止することができる。
更に、本実施例では、該角度調節継手８Ｂが継手部材２７とフランジ部材２８とを有しており、該フランジ部材２８を該継手部材２７に螺着することによって該建物のべた基礎２の外壁面と該角度調節継手８Ｂのフランジ部材２８との間に該シール部材１３Ｂを介在させるようにされているので、可撓管４を交換等する際に、角度調節継手８Ｂの継手部材２７に螺着されたフランジ部材２８を緩めて取り外すことによって、屈曲鞘管３Ｅ内から可撓管４を簡単に引き抜くことができ、交換等の作業性が向上する。
【００４８】
以上、本発明の実施の形態を実施例１〜実施例５により説明したが、本発明の範囲はこれらに限定されるものではなく、請求項に記載された範囲内において目的に応じて変更・変形することが可能である。
【００４９】
例えば、上記実施例１〜実施例５以外、鞘管３内に可撓管４を円滑に挿入することができ、該鞘管３内に可撓管４を挿着するときの作業性を向上させることができれば、鞘管３の下流端部の中心線Ｘ１と水平線Ｈとの角度θは５°〜１５°の範囲で設定されていてもよい。
【００５０】
また、上記実施例３以外、鞘管３は三段階以上で段階的に傾斜されていてもよい。
その場合、鞘管３が上流側から下流側にかけて三段階以上で段階的に傾斜されているので、実施例３の場合に比べて、該鞘管３の屈曲部分の曲率を更に大きく設定することができる。したがって、実施例３の場合に比べて、より可撓性の小さい可撓管４（より撓みが少ない可撓管４）を使用した場合であっても、該鞘管３内に可撓管４を更に円滑に挿着することができ、該鞘管３内に可撓管４を挿着するときの作業性を更に向上させることができる。
【００５１】
更に、上記実施例５以外、鞘管３の係止凸部３７は、角度調節継手８Ｂを取り付けた可撓管４を鞘管３の上流側から該鞘管３内に挿着したときに該角度調節継手８Ｂの継手部材２７の係止部３３が該鞘管３の係止凸部３７に係止されるものであれば、間欠した凸条であってもよく、また、周方向に所定間隔で設けた突起であってもよい。
図１３に示すように、鞘管３Ｆの係止凸部３７が内周面の両側部のみに設けられている場合には、角度調節継手８Ｂを取り付けた可撓管４を該鞘管３Ｆ内に挿入していくときに当接しやすい部分（すなわち天地方向の部分）において可撓管４および角度調節継手８Ｂと鞘管３Ｆとの間に十分な隙間を確保することができ、可撓管４および角度調節継手８Ｂの挿入作業の作業性がより向上する。
【００５２】
また更に、上記実施例５以外、係止部３３は、角度調節継手８Ｂの継手部材２７の位置決めをすることができ、かつ、該フランジ部材２８を該継手部材２７に螺着したときに該継手部材２７が下流側に移動するのを防止できるものであれば、角度調節継手８Ｂの外周面以外の箇所に設けられていてもよく、例えば、可撓管４の中央部の外周面の所定箇所にＣ字状の固定リング（図示せず）を嵌着することによって設けられてもよく、また、可撓管４の上流側に接続される接続継手５の外周面に設けられていてもよい。その場合、係止凸部３７は、係止部３３の位置に対応するように、鞘管３の中央部や上流部の内周面に設けられる。
なお、上記実施例５は、鞘管３と可撓管４との係止構造を特に限定するものではなく、可撓管４を鞘管３に対して位置決めすることにより、封止構造を形成できるものであればよい。
【産業上の利用可能性】
【００５３】
本発明は、可撓管内に排水が溜まるのを防止することができ、かつ、鞘管内に可撓管を挿着するときの作業性を向上させることができる建物の排水管路構造、排水管路の施工方法および排水管路施工セットとして、産業上利用することが出来る。
【図面の簡単な説明】
【００５４】
【図１】実施例１の排水管路構造の説明側断面図である。
【図２】屈曲鞘管を固定して建物のべた基礎を打設する様子を示す説明側断面図である。
【図３】屈曲鞘管を切断して長さを調節する様子を示す説明側断面図である。
【図４】排水管路施工セットの説明側面図である。
【図５】可撓管に角度調節継手を接続する様子を示す説明側断面図である。
【図６】角度調節継手と接続継手を接続した可撓管の説明側断面図である。
【図７】屈曲鞘管に可撓管を挿着した様子を示す説明側断面図である。
【図８】実施例２の排水管路構造の説明側断面図である。
【図９】実施例３の屈曲鞘管を示す説明側断面図である。
【図１０】実施例４の屈曲鞘管を示す説明側断面図である。
【図１１】実施例５の排水管路構造の説明側断面図である。
【図１２】実施例５の屈曲鞘管を示す説明正断面図である。
【図１３】鞘管の他の実施例を示す説明正断面図である。
【符号の説明】
【００５５】
１    排水管路構造
２    建物の基礎（べた基礎）
３Ａ  鞘管（実施例１の屈曲鞘管）
３Ｂ  鞘管（実施例２の大曲り鞘管）
３Ｃ  鞘管（実施例３の屈曲鞘管）
３Ｄ  鞘管（実施例４の屈曲鞘管）
３Ｅ  鞘管（実施例５の屈曲鞘管）
３Ｆ  鞘管（鞘管の他の実施例）
４    可撓管
７    屋内排水管
８Ａ  角度調節継手（実施例１〜実施例４の角度調節継手）
８Ｂ  角度調節継手（実施例５の角度調節継手）
９    屋外排水管
１３Ａ  シール部材（実施例１〜実施例４のシール部材）
１３Ｂ  シール部材（実施例５のシール部材）
１９    排水管路施工セット
２７    継手部材
２８    フランジ部材
３３    係止部
３７    係止凸部
【図１】
2006214140.tif 000003
【図２】
2006214140.tif 000004
【図３】
2006214140.tif 000005
【図４】
2006214140.tif 000006
【図５】
2006214140.tif 000007
【図６】
2006214140.tif 000008
【図７】
2006214140.tif 000009
【図８】
2006214140.tif 000010
【図９】
2006214140.tif 000011
【図１０】
2006214140.tif 000012
【図１１】
2006214140.tif 000013
【図１２】
2006214140.tif 000014
【図１３】
2006214140.tif 000015
【手続補正書】
【提出日】平成17年2月7日(2005.2.7)
【手続補正１】
【補正対象書類名】図面
【補正対象項目名】全図
【補正方法】変更
【補正の内容】
【図１】
2006214140.tif 000016
【図２】
2006214140.tif 000017
【図３】
2006214140.tif 000018
【図４】
2006214140.tif 000019
【図５】
2006214140.tif 000020
【図６】
2006214140.tif 000021
【図７】
2006214140.tif 000022
【図８】
2006214140.tif 000023
【図９】
2006214140.tif 000024
【図１０】
2006214140.tif 000025
【図１１】
2006214140.tif 000026
【図１２】
2006214140.tif 000027
【図１３】
2006214140.tif 000028